(57)【特許請求の範囲】
【請求項１】
所定の遊技媒体を使用する遊技において、始動条件が成立することを契機に遊技データを抽選により取得する遊技データ取得手段と、
前記遊技データ取得手段により取得された遊技データが特定の遊技データであった場合、遊技者に有利な特別遊技を付与する特別遊技付与手段と、
演出画像を表示可能な画像表示手段と、
遊技者が操作可能な操作手段と、
前記遊技データ取得手段により取得された遊技データが所定の遊技データのときに前記画像表示手段に遊技者参加型選択画面を表示可能な演出制御手段と、を備え、
前記演出制御手段は、前記遊技者参加型選択画面として、
複数の演出画面から構成される演出画面群を複数表示した第１の選択画面を表示し、
該第１の選択画面を表示している所定期間に前記操作手段が操作されたときに前記複数の演出画面群の中から何れか一つの演出画面群を選択し、該選択した演出画面群を構成する複数の演出画面からなる第２の選択画面を表示し、
該第２の選択画面を表示している所定期間に前記操作手段が操作されたときに前記複数の演出画面の中から何れか一つの演出画面を選択し、該選択した演出画面に応じた演出画像を表示するとともに、
前記所定期間に前記操作手段が操作されなかったときには前記演出画面群を構成する複数の演出画面の中から最も前記特別遊技が付与される可能性が低いことを表す演出画面を選択し、選択した演出画面に応じた演出画像を表示する表示制御を行うことを特徴とする遊技機。
【請求項２】
前記複数の演出画面群は、前記演出画面群ごとに前記特別遊技の当選期待度が異なることを特徴とする請求項１に記載の遊技機。
【請求項３】
前記複数の演出画面は、前記演出画面ごとに前記特別遊技の当選期待度が異なることを特徴とする請求項１又は２に記載の遊技機。
【請求項４】
前記遊技データ取得手段により取得された遊技データに基づいて、前記特別遊技に当選したか否かを判定する特別遊技判定手段を備え、
前記演出制御手段は、前記特別遊技判定手段により特別遊技に当選したと判定されたときは、前記複数の演出画面、または演出画面群の中から前記特別遊技の当選期待度が高い演出画面、または演出画面群を選択する割合が高くなるように構成されていることを特徴とする請求項２又は３に記載の遊技機。
【発明の詳細な説明】
【技術分野】
【０００１】
本発明は、遊技者が操作可能な操作手段を備えたパチンコ遊技機に関するものである。
【背景技術】
【０００２】
近年のパチンコ遊技機は、遊技者に対して興趣性の高い演出を提供するために液晶表示装置を備えたものが主流になっている。
また遊技者の遊技に対する参加感を演出し、興趣感を高めることが重要視されるため、遊技演出の選択を遊技者に行わせて遊技に対する参加感を演出する操作ボタンを備え、この操作ボタンの操作に連動して液晶表示装置の表示態様を制御するといったことが行われている。
例えば、特許文献１には、操作ボタンの押下に合わせて変動表示の演出を切り替えることで、遊技者による操作ボタンの操作意欲を維持して、遊技者に操作ボタンの操作を継続して行わせるようにした遊技機が開示されている。
【先行技術文献】
【特許文献】
【０００３】
【特許文献１】特開２００５−８１０２４公報
【発明の概要】
【発明が解決しようとする課題】
【０００４】
上記のようにパチンコ遊技機では、遊技者に対して興趣のある遊技を提供するようにしているが、遊技者が演出に慣れるにしたがって演出に対する興趣が薄れるため、新たな態様の遊技演出が常に求められていた。
本発明は、上記したような点を鑑みてなされたものであり、操作ボタンを利用した遊技者参加型の新たな遊技演出が可能な遊技機を提供することを目的とする。
【課題を解決するための手段】
【０００５】
本発明は、上述の課題を解決するためになされたものであり、以下の形態により実現することが可能である。
即ち、第１の形態の遊技機は、所定の遊技媒体を使用する遊技において、始動条件が成立することを契機に遊技データを抽選により取得する遊技データ取得手段と、前記遊技データ取得手段により取得された遊技データが特定の遊技データであった場合、遊技者に有利な特別遊技を付与する特別遊技付与手段と、演出画像を表示可能な画像表示手段と、遊技者が操作可能な操作手段と、前記遊技データ取得手段により取得された遊技データが所定の遊技データのときに前記画像表示手段に遊技者参加型選択画面を表示可能な演出制御手段と、を備え、前記演出制御手段は、前記遊技者参加型選択画面として、複数の演出画面から構成される演出画面群を複数表示した第１の選択画面を表示し、該第１の選択画面を表示している所定期間に前記操作手段が操作されたときに前記複数の演出画面群の中から何れか一つの演出画面群を選択し、該選択した演出画面群を構成する複数の演出画面からなる第２の選択画面を表示し、該第２の選択画面を表示している所定期間に前記操作手段が操作されたときに前記複数の演出画面の中から何れか一つの演出画面を選択し、該選択した演出画面に応じた演出画像を表示するとともに、前記所定期間に前記操作手段が操作されなかったときには前記演出画面群を構成する複数の演出画面の中から最も前記特別遊技が付与される可能性が低いことを表す演出画面を選択し、選択した演出画面に応じた演出画像を表示する表示制御を行うことを特徴とする。
【０００６】
第２の形態の遊技機は、前記複数の演出画面群は、前記演出画面群ごとに前記特別遊技の当選期待度が異なることを特徴とする。
第３の形態の遊技機は、前記複数の演出画面は、前記演出画面ごとに前記特別遊技の当選期待度が異なることを特徴とする。
第４の形態の遊技機は、前記遊技データ取得手段により取得された遊技データに基づいて、前記特別遊技に当選したか否かを判定する特別遊技判定手段を備え、前記演出制御手段は、前記特別遊技判定手段により特別遊技に当選したと判定されたときは、前記複数の演出画面、または演出画面群の中から前記特別遊技の当選期待度が高い演出画面、または演出画面群を選択する割合が高くなるように構成されていることを特徴とする。
【発明の効果】
【０００７】
本発明によれば、遊技者参加型選択画面のバリエーションを増やすことができ、遊技者参加型選択画面に対する興趣を高めることができる。
【図面の簡単な説明】
【０００８】
【図１】本発明の実施形態に係るパチンコ遊技機の全体正面図である。
【図２】本実施形態のパチンコ遊技機に備えられている演出ボタンの構成を示した図である。
【図３】本実施形態のパチンコ遊技機の遊技制御を行う遊技制御装置の構成を示したブロック図である。
【図４】各種乱数が取得される乱数テーブルの説明図であり、（ａ）は大当たり乱数テーブル、（ｂ）は大当たり図柄乱数テーブル、（ｃ）はリーチ乱数テーブル、（ｄ）は当たり乱数テーブルの一例をそれぞれ示した図である。
【図５】（ａ）〜（ｆ）は本実施形態のパチンコ遊技機において、画像表示器に表示される遊技者参加型選択画面の選択例を示した図である。
【図６】遊技制御基板のＣＰＵが実行するタイマ割込処理の一例を示したフローチャートである。
【図７】遊技制御基板のＣＰＵが実行する始動口ＳＷ処理の一例を示したフローチャートである。
【図８】遊技制御基板のＣＰＵが実行するゲートＳＷ処理の一例を示したフローチャートである。
【図９】遊技制御基板のＣＰＵが実行する特別図柄処理の一例を示したフローチャートである。
【図１０】遊技制御基板のＣＰＵが実行する大当たり判定処理の一例を示したフローチャートである。
【図１１】遊技制御基板のＣＰＵが実行する変動パターン選択処理の一例を示したフローチャートである。
【図１２】遊技制御基板のＣＰＵが実行する停止中処理の一例を示したフローチャートである。
【図１３】遊技制御基板のＣＰＵが実行する客待ち設定処理の一例を示したフローチャートである。
【図１４】遊技制御基板のＣＰＵが実行する普通図柄処理の一例を示したフローチャートである。
【図１５】遊技制御基板のＣＰＵが実行する大入賞口処理の一例を示したフローチャートである。
【図１６】大入賞装置のラウンド数／開放パターンの設定例を示した図である。
【図１７】遊技制御基板のＣＰＵが実行する遊技状態設定処理の一例を示したフローチャートである。
【図１８】遊技制御基板のＣＰＵが実行する電チュー処理の一例を示したフローチャートである。
【図１９】演出制御基板のＣＰＵが実行するタイマ割込処理の一例を示したフローチャートである。
【図２０】演出制御基板のＣＰＵが実行するコマンド受信処理の一例を示したフローチャートである。
【図２１】演出制御基板のＣＰＵが実行する演出選択処理の一例を示したフローチャートである。
【図２２】演出制御基板のＣＰＵが実行する演出選択画面表示処理の一例を示したフローチャートである。
【図２３】演出制御基板のＣＰＵが実行する演出ボタン処理の一例を示したフローチャートである。
【発明を実施するための形態】
【０００９】
図１は、本発明の実施形態に係るパチンコ遊技機の全体正面図である。
この図１に示すパチンコ遊技機１００は、矩形形状の枠１０１を有し、この枠１０１の窓孔に対して遊技盤１０が着脱可能に取り付けられている。
遊技盤１０の前面側には、ガラス枠が開閉可能に取り付けられている。また遊技盤１０の下方には、遊技球を貯留する受け皿部１０２と、この受け皿部１０２の遊技球を発射する発射ハンドル１０３等が設けられている。
受け皿部１０２の上面には、例えば遊技者自身に操作を行わせて遊技に対する参加感を演出する演出ボタン（操作手段）１０４が設けられている。
また、図示しないが受け皿部１０２の上面には、遊技球の購入ボタン、購入取り消しボタン、受け皿部１０２内の遊技球を下方から外部に抜くための球抜きボタン等が設けられている。また、枠１０１の左右上方には、スピーカ１０５が配置されている。
【００１０】
遊技盤１０の裏面側には主制御基板とサブ制御基板等、遊技の進行、演出に関わる裏部品を組み付けた合成樹脂製の機構板（何れも図示せず）が装着されている。遊技盤１０における遊技領域１０ａの周囲には、外レールＲ１及び内レールＲ２が設けられている。これら外レールＲ１及び内レールＲ２は、発射ハンドル１０３を操作したときに発射装置から発射された遊技球を遊技領域１０ａの上部に案内したり、アウト口１８に案内したりする。
遊技盤１０のほぼ中央には、画像表示器１１が配置されている。画像表示器１１は、例えば、液晶表示装置等の液晶表示パネルにより構成され、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示器１１の下方中央には、第１始動口１３が配置されている。第１始動口１３は、遊技球が入賞したときに、後述する第１特別図柄表示器の第１特別図柄を変動表示させる権利を発生させる。このため、第１始動口１３の内部には、遊技球の入球を検出する第１始動口スイッチ（ＳＷ）が設けられている。
【００１１】
また遊技盤１０の右側領域であって、画像表示器１１の右側下方には、変動入賞装置として、左右一対の開閉爪（可動片）を有する電動式チューリップ（以下、「電チュー」と称する）１４が配置されている。電チュー１４は、第２始動口として機能しており、遊技球が入賞したときに、後述する第２特別図柄表示器２２の第２特別図柄を変動表示させる権利を発生させる。このため、電チュー１４の内部には、遊技球の入球を検出する第２始動口スイッチ（ＳＷ）が設けられている。
電チュー１４は、後述する普通図柄表示器２３の普通図柄が所定態様で停止したときに所定時間、開成動作するように構成されている。
【００１２】
また遊技盤１０の右側領域であって、電チュー１４の右側には、普通図柄表示器を作動させるためのゲート１５が設けられている。ゲート１５は、その内部にゲートスイッチ（ＳＷ）が設けられている。
更に遊技盤１０の右側領域であって、電チュー１４の下方には、特別遊技状態のときに開成状態になる大入賞装置の大入賞口１６が配置されている。
【００１３】
更に、遊技盤１０の遊技領域１０ａには、一般入賞口１７が配置されていると共に、風車や図示しない多数の遊技釘が突設されている。遊技釘は、遊技球の落下速度を遅くすると共に、落下方向を複雑に変化させて遊技進行上の興趣を高めている。
【００１４】
図２は、本実施形態のパチンコ遊技機に備えられている演出ボタンの構成を示した図である。
この図２に示すように、本実施形態のパチンコ遊技機１００は、演出ボタン１０４としてチャンスボタン（図２においては「ＣＨＡＮＣＥ」と表記）１９と、十字キー２０とを備えている。チャンスボタン１９は、凸状ボタンにより構成される。また十字キー２０は、画像表示器１１に表示される文字や図形などを指し示す位置を変更するカーソルキー３０１〜３０４と、カーソルキー３０１〜３０４の操作によって選択された文字や図形などを確定する「ＥＮＴＥＲ」キー３０５とを備えている。なお、チャンスボタン１９は、凸状ボタンの他、タッチパネル方式を採用した入力パッドなどであってもよい。
【００１５】
図３は、本実施形態のパチンコ遊技機の遊技制御を行う遊技制御装置の構成を示したブロック図である。
この図３に示す遊技制御装置には、遊技の進行を制御する主制御基板として遊技制御基板１１１が設けられている。また副制御基板として、演出制御基板１２１、画像制御基板１３１、ランプ制御基板１４１、払出制御基板１５１等が設けられている。
遊技制御基板１１１は、ＣＰＵ１１２、ＲＯＭ１１３、及びＲＡＭ１１４等を有し、当該パチンコ遊技機の主たる制御を行う。
遊技制御基板１１１には、第１始動口１３内に設けられた第１始動口ＳＷ１３ａ、電チュー１４内に設けられた第２始動口ＳＷ１４ａ、電チュー１４を開閉動作させるための電チューソレノイド（ＳＯＬ）１４ｂ、ゲート１５内に設けられたゲートＳＷ１５ａ、大入賞口１６に入賞した遊技球を検出する大入賞口ＳＷ１６ａ、大入賞口１６の開閉扉を開閉動作させるための大入賞口ソレノイド（ＳＯＬ）１６ｂ、普通入賞口ＳＷ１７ａが接続されている。
【００１６】
また遊技制御基板１１１には、第１特別図柄の変動と表示を行う第１特別図柄表示器２１、第２特別図柄の変動と表示を行う第２特別図柄表示器２２、普通図柄の変動と表示を行う普通図柄表示器２３が接続されている。
第１特別図柄表示器２１及び第２特別図柄表示器２２は、特別図柄を変動表示させ所定時間経過後に当該変動表示を停止させることにより特別図柄が当たりに当選したか否か表示する。また、普通図柄表示器２３は、遊技球がゲートＳＷ１５ａを通過したときに、普通図柄を変動表示させ所定時間経過後に当該変動表示を停止させることにより普通図柄が当たりに当選したか否か表示する。
【００１７】
更に遊技制御基板１１１には、第１特別図柄の変動表示を開始させる権利（保留球）の保留個数を表示する第１特別図柄保留ランプ２４、第２特別図柄の変動表示を開始させる権利の保留個数を表示する第２特別図柄保留ランプ２５、普通図柄が変動中に遊技球がゲート１５を通過したときに、ゲート１５の通過によって得られる普通図柄の変動表示を開始させる権利（最大４個）の保留個数を表示する普通図柄保留ランプ２６等が接続されている。
本実施形態のパチンコ遊技機１００では、第１特別図柄の保留球と第２特別図柄の保留球とが共に保留されている場合は、第２特別図柄の保留球を優先的に消化するように構成されている。勿論、第１特別図柄と第２特別図柄の保留球を入賞順に消化するように構成してもよい。
更に遊技制御基板１１１には、演出制御基板１２１、払出制御基板１５１、及び盤用外部情報端子基板１６０等が接続されている。
【００１８】
演出制御基板１２１は、ＣＰＵ１２２、ＲＯＭ１２３、ＲＡＭ１２４、ＲＴＣ（リアルタイムクロック）１２５等を有し、遊技演出全体の制御を行う。
演出制御基板１２１には、画像及び音声の制御を行う画像制御基板１３１、各種ランプ及び演出役物の制御を行うランプ制御基板１４１、及び演出ボタン１０４が接続されている。
画像制御基板１３１は、ＣＰＵ１３２、ＲＯＭ１３３、ＲＡＭ１３４等を有し、演出制御基板１２１の指示に基づいて、画像及び音声の制御を行う。画像制御基板１３１には、画像表示器１１及びスピーカ１０５が接続されている。
ランプ制御基板１４１は、ＣＰＵ１４２、ＲＯＭ１４３、ＲＡＭ１４４等を有し、枠ランプ１４５や盤ランプ１４６、演出役物１４７等の制御を行う。
払出制御基板１５１は、ＣＰＵ１５２、ＲＯＭ１５３、ＲＡＭ１５４等を有し、遊技球払出装置の払出モータ１５５、払出球検出ＳＷ１５６、球有り検出ＳＷ１５７、満タン検出ＳＷ１５８等の制御を行う。また払出制御基板１５１には、枠用外部情報端子基板１７０と遊技球発射装置を構成する発射制御基板１８０が接続されている。
盤用外部情報端子基板１６０は、遊技盤の各種情報を外部に出力するための端子基板である。また枠用外部情報端子基板１７０は、枠の各種情報を外部に出力するための端子基板である。
発射制御基板１８０には、発射ハンドル１０３、球送りソレノイド１８６、発射ソレノイド１８８が接続されている。
【００１９】
図４は、本実施形態のパチンコ遊技機において各種乱数が取得される乱数テーブルの説明図であり、（ａ）は大当たり乱数テーブル、（ｂ）は大当たり図柄乱数テーブル、（ｃ）はリーチ乱数テーブル、（ｄ）は当たり乱数テーブルの一例をそれぞれ示した図である。
本実施形態においては、図４（ａ）に示す大当たり乱数テーブルにより取得される大当たり乱数と、図４（ｂ）に示す大当たり図柄乱数テーブルにより取得される大当たり図柄乱数とにより特別図柄が構成される。図４（ｄ）に示す当たり乱数テーブルにより取得される普通図柄乱数により普通図柄が構成される。
【００２０】
図４（ａ）に示す大当たり乱数テーブルでは、始動口入賞時、例えば「０」〜「２９９」までの３００個の乱数の中から一つの乱数値が取得される。
図４（ａ）に示す大当たり乱数テーブルの場合、低確率遊技状態（通常遊技状態）では、大当たりの割合が、例えば１／３００に設定され、取得した大当たり乱数値が「３」のときに大当たりと判定される。
一方、高確率遊技状態では、大当たりの割合が低確率遊技状態の１０倍の１０／３００に設定され、取得した大当たり乱数値が「３」、「７」、「３７」、「６７」、「９７」、「１２７」、「１５７」、「１８７」、「２１７」、「２４７」のときに大当たりと判定される。
更に、大当たり乱数テーブルでは、ハズレの一種である小当たりの抽選も行っている。図４（ａ）に示す例では、小当たりの割合が３／３００に設定され、取得した大当たり乱数値が「１５０」、「２００」、「２５０」のときに小当たりと判定される。
【００２１】
次に、図４（ｂ）に示す大当たり図柄乱数テーブルでは、「０」〜「２４９」までの２５０個の乱数の中から一つの乱数値が取得される。そして、取得した大当たり図柄乱数に基づいて、複数種類の大当たりの中から何れか１つの大当たりを決定する。
本実施形態では、複数種類の大当たりとして、通常時短付き長当たり、通常時短付き短当たり、高確率時短付き長当たり、高確率時短付き短当たり、高確率時短無し短当たりの５つの大当たりが用意されている。
【００２２】
通常時短付き長当たりは、大当たり遊技時における大入賞口１６の開放時間が長く大量の出球の払い出しが期待できると共に、大当たり遊技終了後、特別図柄が所定回数（例えば１００回）変動するまでの期間、時短遊技を付与する大当たりであり、従来の「通常大当たり」に相当する。
通常時短付き短当たりは、大当たり遊技時における大入賞口１６の開放時間が短く出球の払い出しは期待できないものの、大当たり遊技終了後、特別図柄が所定回数（例えば１００回）変動するまでの期間、時短遊技を付与する大当たりであり、従来の「突時大当たり」に相当する。
【００２３】
高確率時短付き長当たりは、大当たり遊技時における大入賞口１６の開放時間が長く大量の出球の払い出しが期待できると共に、大当たり遊技終了後に高確率遊技と時短遊技の両方を付与する大当たりであり、従来の「確変大当たり」に相当する。
高確率時短付き短当たりは、大当たり遊技時における大入賞口１６の開放時間が短く出球の払い出しは期待できないものの、大当たり遊技終了後に高確率遊技と時短遊技の両方を付与する大当たりであり、従来の「突確大当たり」に相当する。
高確率時短無し短当たりは、大当たり遊技時における大入賞口１６の開放時間が短く出球の払い出しは期待できないものの、大当たり遊技終了後に高確率遊技を付与する大当たりであり、「潜伏確変大当たり」に相当する。
【００２４】
また、本実施形態のパチンコ遊技機１００では、第１始動口１３に遊技球が入球した場合と、第２始動口である電チュー１４に遊技球が入球した場合では、一部の種類の大当たりについては選択される割合が異なるように構成されている。
例えば、通常時短付き長当たりと通常時短付き短当たりが選択される割合は、遊技球が第１始動口１３に入賞した場合と電チュー１４に入賞した場合で同一であり、通常時短付き長当たり選択される割合は、第１始動口１３に遊技球が入賞した場合と電チュー１４に遊技球が入賞した場合のいずれも３５／２５０とされる。同様に通常時短付き短当たりが選択される割合は、第１始動口１３に遊技球が入賞した場合と電チュー１４に遊技球が入賞した場合のいずれも１５／２５０とされる。
具体的には、図４（ｂ）に示すように、第１始動口又は電チュー入賞時に取得された大当たり図柄乱数が「０」〜「３４」であれば、通常時短付き長当たりが選択され、「３５」〜「４９」であれば、通常時短付き短当たりが選択される。
【００２５】
一方、高確率時短付き長当たり及び高確率時短付き短当たりが選択される割合は、遊技球が第１始動口１３に入賞した場合と、電チュー１４に入賞した場合で異なり、例えば高確率時短付き長当たりが選択される割合は、第１始動口１３に遊技球が入賞した場合は２５／２５０、電チュー１４に遊技球が入賞した場合は１７５／２５０とされる。
また、高確率時短付き短当たりが選択される割合は、第１始動口１３に遊技球が入賞した場合は７５／２５０、電チュー１４に遊技球が入賞した場合は２５／２５０とされる。
また、高確率時短無し短当たりが選択される割合は、第１始動口１３に遊技球が入賞した場合のみ１００／２５０とされる。
具体的には、遊技球が第１始動口入賞時に取得された大当たり図柄乱数が「５０」〜「７４」であれば、高確率時短付き長当たりが選択され、「７５」〜「１４９」であれば、高確率時短付き短当たりが選択され、「１５０」〜「２４９」であれば、高確率時短無し短当たりが選択される。
これに対して、遊技球が電チュー入賞時に取得された大当たり図柄乱数が「５０」〜「２２４」であれば、高確率時短付き長当たりが選択され、「２２５」〜「２４９」であれば、高確率時短付き短当たりが選択される。
【００２６】
第１始動口入賞時と電チュー入賞時において選択される大当たり種類を比較すると、第１始動口入賞時は、高確率時短付き長当たりの割合が２５／２５０であるのに対して、電チュー入賞時は、高確率時短付き長当たりの割合が１７５／２５０であり、電チュー入賞時のほうが、高確率時短付き長当たりが選択される割合が高くなっている。
このように構成すると、電チューへの遊技球の入賞率が高くなる遊技状態に移行したときは、高確率時短付き長当たりに連続して当選する確率が高くなるため、多量の出球の獲得が期待できメリハリがある遊技を実現することができる。
【００２７】
また第１始動口入賞時は、高確率時短無し短当たりの割合が１００／２５０であるのに対して、電チュー入賞時は、高確率時短無し短当たりが選択されないようになっている。これは、電チューに遊技球が入賞するのは、遊技状態が遊技者とって有利な時短遊技状態のときが主であり、この時短遊技状態のときに、例えば高確率時短無し短当たりが選択された場合は、時短遊技が終了し、遊技者にとって不利な遊技状態に移行してしまうことになる。つまり、大当たりに当選したにも関わらず、時短有り遊技状態から時短無し遊技状態という遊技者にとって不利益となる遊技状態に移行してしまうことになる。このため、電チュー入賞時は、高確率時短無し短当たりを選択しないようにすることで、遊技者に不利な遊技状態に移行するのを防止している。
【００２８】
また、図４（ｃ）に示すリーチ乱数テーブルでは、始動入賞時、「０」〜「２４９」までの２５０個の乱数の中から一つの乱数値を取得し、取得したリーチ乱数値が「０」〜「２１」のときにリーチ有り、取得したリーチ乱数値が「２２」〜「２４９」のときにリーチ無しと判定する。
【００２９】
また、図４（ｄ）に示す普通図柄の当たり乱数を抽選する当たり乱数テーブルでは、遊技球がゲート通過時、「０」〜「９」までの１０個の乱数の中から一つの乱数値が取得される。
そして、時短フラグと高確フラグが共にＯＦＦとなる低確率遊技状態又は時短フラグがＯＦＦで高確フラグがＯＮとなる高確率時短無し遊技状態のときは取得した当たり乱数が「７」のときのみ当たりと判定する。
一方、時短フラグがＯＮ、高確フラグがＯＦＦとなる低確率時短遊技状態、又は時短フラグと高確フラグが共にＯＮとなる高確率時短遊技状態のときは、取得した当たり乱数が「０」〜「９」のときに当たりと判定する。
【００３０】
このように構成される本実施形態のパチンコ遊技機１００では、遊技制御基板１１１において、上始動口１３又は電チュー１４への遊技球が入賞を契機に、大当たり乱数、大当たり図柄乱数、リーチ乱数等の遊技データの抽選を行う。そして、大当たり又は小当たりに当選したと判定した場合は、第１又は第２特別図柄表示器２１、２２の特別図柄を特定の当たり図柄で停止表示することにより、上記した長当たり、短当たり、或いは小当たりの何れかの当り遊技を実行するようにしている。
更に、遊技制御基板１１１は、遊技データとして、上記した大当たり乱数、大当たり図柄乱数、リーチ乱数の抽選と同時に特別図柄の変動時間を決定する変動パターン乱数の抽選も行う。そして、抽選により取得した変動パターン乱数に基づいて、第１又は第２特別図柄表示器２１、２２に変動表示させる特別図柄の変動時間を設定するようにしている。
また更に、遊技制御基板１１１は、大当たり情報、大当たり図柄情報、リーチ情報、及び変動パターン情報などを含んだ変動開始コマンドを、所定のタイミングで演出制御基板１２１に送信するようにしている。
【００３１】
一方、演出制御基板１２１は、上記遊技制御基板１１１からの変動開始コマンドを受信したときに、受信した変動開始コマンドの解析を行う。そして、その解析結果に基づいて、遊技演出の演出時間を設定するための変動演出パターンを選択すると共に、その変動演出パターンに対応した遊技演出を抽選により決定し、決定した遊技演出を実行するための変動演出開始コマンドをセットする。
これにより、画像制御基板１３１が変動演出開始コマンドに応じた演出画像や図柄画像を画像表示器１１に表示する表示制御を実行すると共に、ランプ制御基板１４１が変動演出開始コマンドに応じた枠ランプ１４５、盤ランプ１４６、演出役物１４７等の制御を実行する。
【００３２】
また、演出制御基板１２１は、遊技制御基板１１１からの変動開始コマンドに基づいて決定する変動演出パターンと、その変動演出パターンに対応した演出抽選の結果、遊技者参加型の演出選択画面を画像表示器１１に表示する表示制御が実行可能とされる。
遊技者参加型の演出選択画面とは、遊技者が操作ボタン１０４を操作することにより、遊技者がその後の遊技演出を選択したかのような選択演出表示を行う演出選択画面を言う。なお、遊技者参加型の選択画面において選択される選択演出は、遊技者が操作ボタン１０４を操作する操作タイミングに基づいて決定するようにしてもよいし、或いは遊技者が操作ボタン１０４を操作するタイミングに関わらず予め決定しておくようにしてもよい。
【００３３】
そのうえで、本実施形態のパチンコ遊技機１００では、遊技者参加型の演出選択画面として、遊技者が操作ボタン１０４を所定のタイミングで複数回操作することにより、演出選択画面の中から段階的に遊技演出を選択したかのような演出選択表示を可能に構成した点に特徴がある。
【００３４】
以下、図５を用いて本実施形態のパチンコ遊技機１００において表示可能な遊技者参加型の演出選択画面について説明する。
本実施形態のパチンコ遊技機１００では、遊技者参加型の演出選択画面が選択された場合は、画像表示器１１の表示画面には、図５（ａ）に示すような第１の選択画面３１表示する。
図５（ａ）に示す第１の選択画面３１は、例えば５つの演出小画面群３２ａ〜３２ｅにより構成されている。演出小画面群３２ａ〜３２ｅは、それぞれ遊技演出を予告する５つの演出小画面４２ａ〜４２ｅにより構成されている。
この場合、演出小画面群３２ａは、例えば大当たり期待度が高い遊技演出を予告する２つの演出小画面（図５では「Ａ」と表示された画面）４２ｂ、４２ｄと大当たり期待度が低い遊技演出を予告する３つの演出小画面（図５では表示無し画面）４２ａ、４２ｃ、４２ｅとにより構成されている。同様に演出小画面群３２ｂ〜３２ｅには、それぞれ大当たり期待度が高い遊技演出を予告する演出小画面がそれぞれ１個、３個、０個、５個設けられている。
【００３５】
次に、図５（ｂ）に示すように第１の選択画面３１を表示した状態で遊技者に演出ボタン１０４のチャンスボタン１９の押下を促すボタン画像３３を表示する。
ここで、遊技者が実際にチャンスボタン１９を押下すると、第１の選択画面３１を構成する５つの演出小画面群３２ａ〜３２ｅの中から何れか一つの演出小画面群を選択する。図５（ｃ）では、例えば第１の選択画面３１の中から演出小画面群３２ｃを選択したことを示している。
【００３６】
演出小画面群３２ｃを選択した場合、画像表示器１１の表示画面には、図５（ｄ）に示すような第２の選択画面４１を表示する。
図５（ｄ）に示す第２の選択画面４１は、演出小画面群３２ｃを構成していた５つの演出小画面４２ａ〜４２ｅにより構成されている。従って、第２の選択画面４１は、大当たり期待度が高い遊技演出を予告する３つの演出小画面４２ａ、４２ｃ、４２ｅと大当たり期待度が低い遊技演出を予告する２つの演出小画面４２ｂ、４２ｄとにより構成されることになる。
【００３７】
次に、図５（ｅ）に示すように第２の選択画面４１を表示した状態で、再度チャンスボタン１９の押下を促すボタン画像３３を表示する。ここで、遊技者が実際にチャンスボタン１９を押下すると、第２の選択画面４１を構成する５つの演出小画面４２ａ〜４２ｅの中から何れか一つの演出小画面を選択する。図５（ｆ）では、例えば第２の選択画面４１の中から演出小画面４１ｃを選択したことを示している。
【００３８】
このように本実施形態のパチンコ遊技機１００では、遊技者参加型の選択画面として、複数の演出小画面群３２ａ〜３２ｅからなる第１の選択画面３１を表示する。そして、第１の選択画面３１にチャンスボタン１９の押下を促すボタン画像３３を表示している表示期間に、遊技者がチャンスボタン１９を操作したときは、複数の演出小画面群３２ａ〜３２ｅの中から何れか一つの演出小画面群を選択し、選択した演出小画面群を構成する複数の演出小画面４２ａ〜４２ｅからなる第２の選択画面４１を表示するようにした。そして、第２の選択画面４１に再度ボタン画像３３を表示している表示期間に、遊技者が再度チャンスボタン１９を操作したときは、複数の演出小画面４２ａ〜４２ｅの中から何れか一つの演出小画面を選択し、選択した演出小画面に基づいて、その後の演出画像を決定するようにした。
【００３９】
従来の遊技者参加型の選択画面では、遊技者がチャンスボタン１９等を一回操作することにより、その後の演出画像を決定するようにしていた。これに対して、本実施形態のパチンコ遊技機１００では、遊技者がチャンスボタン１９を二回操作することにより、その後の演出画像を決定するようにしている。つまり、演出選択画面において２段階の選択操作を行うことにより、その後の演出画像を決定するようにした。この結果、遊技者参加型の選択画面のバリエーションを増やすことができ、遊技者の遊技者参加型の選択画面に対する興趣を高めることができる。
【００４０】
また本実施形態では、第１の選択画面３１を構成する演出小画面群３２ａ〜３２ｅごとに大当たりの期待度が異なるように構成しているので、遊技者が演出小画面群３２ａ〜３２ｅの中から何れか一つの演出小画面群を選択するためにチャンスボタン１９を押下するときの興趣をより高めることができる。
同様に第２の選択画面４１を構成する演出小画面４２ａ〜４２ｅごとに大当たりの期待度が異なるように構成しているので、遊技者が演出小画面４２ａ〜４２ｅの中から何れか一つの演出小画面を選択するためにチャンスボタン１９を押下するときの興趣をより高めることができる。なお、演出小画面群ごとに大当たりの期待度が異なるように構成するには、本実施形態のように、各演出小画面群３２ａ〜３２ｅを構成する演出小画面４１ａ〜４１ｅに含まれる大当たり期待度の高い演出小画面の個数を変える等すればよい。
【００４１】
また、本実施形態では、演出小画面４２ａ〜４２ｅを大当たりの期待度の高い演出小画面と大当たりの期待度の低い演出小画面の２種類に設定する場合を例に挙げて説明したが、演出小画面は、大当たり期待度の異なる３種類以上に設定してもよいことは言うまでもない。
【００４２】
また、遊技制御基板１２１が遊技者参加型の演出選択画面を選択するにあたって、遊技制御基板１１１において、大当たりに当選した判定された場合は、遊技制御基板１２１は、演出選択画面の中から大当たり期待度が高い演出小画面を選択する割合が高くなるように構成して、実際の大当たり当選と演出選択画面において選択される遊技演出の大当たり期待度とを関連づけるようにすると、遊技者の興趣をさらに高めることができる。
【００４３】
また、本実施形態では、遊技者参加型の選択画面の一例として、遊技者がチャンスボタン１９を二回操作することにより、その後の演出画像を決定する二段階選択を例に挙げて説明したが、遊技者がチャンスボタン１９を三回以上操作することにより、その後の演出画像を決定するようにしてもよい。
また、本実施形態では、遊技者参加型の選択画面の表示形態として、複数の演出小画面を表示する所謂マルチ画面を例に挙げて説明したが、これはあくまでも一例であり、遊技者がチャンスボタン１９等を複数回操作することにより、遊技演出を選択可能な表示態様であればいずれの構成でも良い。
【００４４】
以下、本実施形態のパチンコ遊技機の動作を実現するために遊技制御装置が実行する処理について説明する。なお、以下に説明する処理は、遊技制御基板１１１のＣＰＵ１１２がＲＯＭ１１３に格納されているプログラムを実行することにより実現することができる。
【００４５】
先ず、遊技制御基板１１１が実行する処理について説明する。
［タイマ割込処理］
図６は、遊技制御基板のＣＰＵが実行するタイマ割込処理の一例を示したフローチャートである。
ＣＰＵ１１２は、タイマ割込処理として、乱数更新処理（Ｓ１０）、スイッチ処理（Ｓ２０）、図柄処理（Ｓ３０）、電動役物処理（Ｓ４０）、賞球処理（Ｓ５０）、出力処理（Ｓ６０）等を実行する。
【００４６】
次に、上記タイマ割込処理として実行される各種処理について説明する。
［始動口ＳＷ処理］
図７は、遊技制御基板のＣＰＵが実行する始動口ＳＷ処理の一例を示したフローチャートである。この場合、ＣＰＵ１１２は、第１始動口１３の第１始動口ＳＷ１３ａがオンであるか否かの判別を行い（Ｓ２０１）、第１始動口ＳＷ１３ａがオンであると判別した場合は、第１始動口ＳＷ１３ａの保留個数Ｕ１が「４」より少ないか否かの判別を行う（Ｓ２０２）。
ここで、保留個数Ｕ１が「４」より少ないと判別した場合は、保留個数Ｕ１に「１」を加算する（Ｓ２０３）。この後、特別図柄用の大当たり乱数、大当たり図柄乱数、及びリーチ乱数等を取得してＲＡＭ１１４に格納する（Ｓ２０４）。次いで、第１特別図柄保留ランプ２４の保留数を増加するために第１保留数増加コマンドをセットする（Ｓ２０５）。なお、ステップＳ２０２において、否定結果が得られた場合、つまり保留個数Ｕ１が最大保留可能個数である「４」と判別した場合は、ステップＳ２０３〜Ｓ２０５の処理をスキップしてステップＳ２０６に進む。
【００４７】
次に、ＣＰＵ１１２は、電チュー１４の第２始動口ＳＷ１４ａがオンであるか否かの判別を行い（Ｓ２０６）、第２始動口ＳＷ１４ａがオンであると判別した場合は、第２始動口ＳＷ１４ａの保留個数Ｕ２が「４」より少ないか否かの判別を行う（Ｓ２０７）。ここで、保留個数Ｕ２が「４」より少ないと判別した場合は、保留個数Ｕ２に「１」を加算する（Ｓ２０８）。この後、特別図柄用の大当たり乱数、大当たり図柄乱数、及びリーチ乱数等を取得してＲＡＭ１１４に格納する（Ｓ２０９）。次いで、第２特別図柄保留ランプ２５の保留数を増加するために第２保留数増加コマンドをセットして（Ｓ２１０）、始動口ＳＷ処理を終了する。
なお、ステップＳ２０７において、否定結果が得られた場合、つまり保留個数Ｕ２が最大保留可能個数である「４」と判別した場合は、始動口ＳＷ処理を終了する。
【００４８】
［ゲートＳＷ処理］
図８は、遊技制御基板のＣＰＵが実行するゲートＳＷ処理の一例を示したフローチャートである。
ＣＰＵ１１２は、ゲート１５のゲートＳＷ１５ａがオンであるか否かの判別を行い（Ｓ２２１）、ゲートＳＷ１５ａがオンであると判別した場合は、ゲートＳＷ１５ａのゲート通過回数Ｇが「４」より少ないか否かの判別を行う（Ｓ２２２）。ゲート通過回数Ｇが「４」より少ないと判別した場合は、ゲート通過回数Ｇに「１」を加算し（Ｓ２２３）、普通図柄用の当たり乱数を取得してＲＡＭ１１４に格納して（Ｓ２２４）、ゲートＳＷ処理を終了する。
なお、ステップＳ２２１において、ゲートＳＷ１５ａがオンでないと判別した場合、或いはステップＳ２２２において、否定結果が得られた場合、つまりゲート通過回数Ｇが最大保留可能個数である「４」と判別した場合は、ゲートＳＷ処理を終了する。
【００４９】
［特別図柄処理］
図９は、遊技制御基板のＣＰＵが実行する特別図柄処理の一例を示したフローチャートである。
ＣＰＵ１１２は、大当たり遊技フラグがＯＮであるか否か、つまり大当たり遊技中であるか否かの判別を行い（Ｓ３１１）、大当たり遊技中でないと判別した場合は、第１特別図柄表示器２１又は第２特別図柄表示器２２の特別図柄が変動中であるか否かの判別を行う（Ｓ３１２）。特別図柄が変動中でないと判別した場合は、次に優先的に消化する第２始動口ＳＷ１４ａの保留個数Ｕ２が「１」より多いか否かの判別を行い（Ｓ３１３）、保留個数Ｕ２が「１」より多いと判別した場合は、保留個数Ｕ２を「１」減算する（Ｓ３１４）。
【００５０】
一方、ステップＳ３１３において、保留個数Ｕ２が≧１でないと判別した場合、つまり保留個数Ｕ２が「０」である場合は、次に第１始動口ＳＷ１３ａの保留個数Ｕ１が「１」より多いか否かの判別を行い（Ｓ３１５）、保留個数Ｕ１が「１」より多いと判別した場合は、保留個数Ｕ１を「１」減算する（Ｓ３１６）。
【００５１】
次に、ＣＰＵ１１２は、客待ちフラグがＯＮであればＯＦＦにした後（Ｓ３１７）、後述する大当たり判定処理を実行する（Ｓ３１８）。大当たり判定処理実行後は、後述する変動パターン選択処理を実行する（Ｓ３１９）。変動パターン選択処理実行後は、対応する第１特別図柄表示器２１、又は第２特別図柄表示器２２の図柄変動を開始すると共に、変動開始コマンドをセットする（Ｓ３２０、Ｓ３２１）。
次に、ＣＰＵ１１２は、第１又は第２特別図柄の変動時間が所定の変動時間を経過したか否かの判別を行い（Ｓ３２２）、所定の変動時間を経過したと判別した場合は、第１特別図柄表示器２１又は第２特別図柄表示器２２の変動を停止して所定特別図柄を表示させる（Ｓ３２３）。この後、変動停止コマンドをセットし（Ｓ３２４）、後述する停止中処理（Ｓ３２５）を実行して特別図柄処理を終了する。
【００５２】
なお、ステップＳ３１１において当たり遊技フラグがＯＮであると判別した場合、或いはステップＳ３２２において、特別図柄の変動時間が所定の変動時間に達していないと判別した場合は、特別図柄処理を終了する。
また、ステップＳ３１２において、特別図柄が変動中であると判別した場合は、ステップＳ３２２に進み、特別図柄の変動時間が所定の変動時間を経過したか否かの判別を行う。
また、ステップＳ３１６において、保留個数Ｕ１が≧１でないと判別した場合、つまり保留個数Ｕ１、Ｕ２の保留が無いと判別した場合は、後述する客待ち設定処理に実行して（Ｓ３２６）、特別図柄処理を終了する。
【００５３】
［大当たり判定処理］
図１０は、遊技制御基板のＣＰＵが実行する大当たり判定処理の一例を示したフローチャートである。
ＣＰＵ１１２は、ＲＡＭ１１４に記憶された大当たり乱数の判定を行い（Ｓ３３１）、続くステップＳ３３２において大当たりであるか否かの判別を行う。ここで、大当たりと判別した場合は、ＲＡＭ１１４に記憶された大当たり図柄乱数の判定を行い（Ｓ３３３）、その判定結果に基づいて、第１特別図柄表示器２１又は第２特別図柄表示器２２にセットする大当たり図柄を設定して（Ｓ３３４）、大当たり判定処理を終了する。
一方、ステップＳ３３２において、大当たりでないと判別した場合は、次に大当たり乱数に基づいて小当たりであるか否かの判別を行う（Ｓ３３５）。ここで、小当たりと判別した場合は、第１特別図柄表示器２１又は第２特別図柄表示器２２にセットする小当たり図柄を設定して（Ｓ３３６）、大当たり判定処理を終了する。また、ステップＳ３３５において、小当たりでない判別した場合は、第１特別図柄表示器２１又は第２特別図柄表示器２２にセットするハズレ図柄を設定して（Ｓ３３７）、大当たり判定処理を終了する。
【００５４】
［変動パターン選択処理］
図１１は、遊技制御基板のＣＰＵが実行する変動パターン選択処理の一例を示したフローチャートである。
ＣＰＵ１１２は、大当たり図柄に基づいて大当たりであるか否かの判別を行い（Ｓ３４１）、大当たりであると判別した場合は、大当たり用テーブルをＲＡＭ１１４にセットする（Ｓ３４２）。
一方、ステップＳ３４１において、大当たりでないと判別した場合は、次にリーチ乱数の判定を行い（Ｓ３４３）、リーチであるか否かの判別を行う（Ｓ３４４）。ここで、リーチと判別した場合は、リーチ用テーブルをＲＡＭ１１４にセットする（Ｓ３４５）。また、ステップＳ３４４において、リーチでないと判別した場合は、ハズレ用テーブルをＲＡＭ１１４にセットする（Ｓ３４６）。
次に、ＣＰＵ１１２は、先に取得した変動パターン乱数の判定を行い（Ｓ３４７）、その変動パターン乱数に応じた変動パターンを設定して（Ｓ３４８）、変動パターン選択処理を終了する。
【００５５】
［停止中処理］
図１２は、遊技制御基板のＣＰＵが実行する停止中処理の一例を示したフローチャートである。
ＣＰＵ１１２は、時短フラグがＯＮであるか否かの判別を行い（Ｓ３５１）、時短フラグがＯＮであると判別した場合は、ＲＡＭ１１４に記憶されている時短ゲームの残ゲーム回数Ｊから「１」を減算する（Ｓ３５２）。
次に、ＣＰＵ１１２は、残ゲーム回数Ｊが「０」であるか否かの判別を行い（Ｓ３５３）、残ゲーム回数Ｊが「０」であれば、時短ゲームにおいて特別図柄の変動表示が所定回数（例えば１００回）行われたことを意味するので時短フラグをＯＦＦにする（Ｓ３５４）。なお、ステップＳ３５１において時短フラグがＯＮでないと判別した場合、或いはステップＳ３５３において、残ゲーム回数Ｊが「０」でないと判別した場合は、ステップＳ３５５に移行する。
【００５６】
次に、ＣＰＵ１１２は、高確フラグがＯＮであるか否かの判別を行い（Ｓ３５５）、高確フラグがＯＮであると判別した場合は、ＲＡＭ１１４に記憶されている高確率ゲームの残ゲーム回数Ｘから「１」を減算する（Ｓ３５６）。
次に、ＣＰＵ１１２は、残ゲーム回数Ｘが「０」であるか否かの判別を行い（Ｓ３５７）、残ゲーム回数Ｘが「０」であれば、高確率ゲームにおいて特別図柄の変動表示が所定回数（例えば１００００回）行われたことを意味するので高確フラグをＯＦＦにする（Ｓ３５８）。なお、ステップＳ３５５において、高確フラグがＯＮでないと判別した場合、或いはステップＳ３５７において、残ゲーム回数Ｘが「０」でないと判別した場合は、ステップＳ３５９に移行する。
【００５７】
次に、ＣＰＵ１１２は、第１特別図柄表示器２１又は第２特別図柄表示器２２にセットされた特別図柄により大当たりであるか否かの判別を行い（Ｓ３５９）、大当たりでないと判別した場合は、次にセットされている特別図柄が「小当たり」であるか否かの判別を行う（Ｓ３６０）、ここで、小当たりであると判別した場合は、小当たり遊技フラグをＯＮにする（Ｓ３６１）。この後、大当たりのオープニングを開始すると共に、大当たりオープニングコマンドをセットして（Ｓ３６２、Ｓ３６３）、停止中処理を終了する。
一方、ステップＳ３６０において、小当たりでないと判別した場合は、小当たり遊技フラグをＯＮにすることなく変動停止中処理を終了する。
また、ステップ３５９において、大当たりであると判別した場合は、次に大当たりが長当たりであるか否かの判別を行い（Ｓ３６４）、長当たりであると判別した場合は、名が当たり遊技フラグをＯＮにし（Ｓ３６５）、そうでなければ短当たりフラグをＯＮにして（Ｓ３６６）する。この後、時短ゲームの残ゲーム回数Ｊ、及び高確率ゲームの残回数Ｘをそれぞれ「０」をセットして、残ゲーム回数Ｊ／Ｘをリセットした後（Ｓ３６７）、時短フラグと高確フラグをＯＦＦにする（Ｓ３６８）。この後、ステップＳ３６２に進む。
【００５８】
［客待ち設定処理］
図１３は、遊技制御基板のＣＰＵが実行する客待ち設定処理の一例を示したフローチャートである。
ＣＰＵ１１２は、客待ちフラグがＯＮであるか否かの判別を行い（Ｓ３７１）、待ちフラグがＯＮであると判別した場合は、客待ち設定処理を終了する。
一方、ステップＳ３７１において、待ちフラグがＯＮでないと判別した場合は、客待ちコマンドをセットすると共に、客待ちフラグをＯＮにしてから（Ｓ３７２、Ｓ３７３）、客待ち設定処理を終了する。
【００５９】
［普通図柄処理］
図１４は、遊技制御基板のＣＰＵが実行する普通図柄処理の一例を示したフローチャートである。
ＣＰＵ１１２は、補助遊技フラグがＯＮであるか否の判別を行い（Ｓ３８１）、補助遊技フラグがＯＮであると判別した場合は普通図柄処理を終了する。
一方、ステップＳ３８１において、補助遊技フラグがＯＮでないと判別した場合は、普通図柄が変動中であるか否かの判別を行う（Ｓ３８２）。ここで、普通図柄が変動中でないと判別した場合は、ゲートＳＷ１５ａのゲート通過回数Ｇが「１」より多いか否かの判別を行い（Ｓ３８３）、ゲート通過回数Ｇが「１」より多い場合は、ゲート通過回数Ｇを「１」減算し（Ｓ３８４）、ゲート通過回数Ｇが「１」より多くないと判別した場合、つまり「０」の場合は、普通図柄処理を終了する。
次に、ＣＰＵ１１２は、普通図柄の当たり乱数の判定を行い（Ｓ３８５）、普通図柄表示器２３に停止表示する停止図柄と変動時間を設定する（Ｓ３８６、Ｓ３８７）。
ここで、変動時間は、例えば時短フラグがＯＦＦであれば４．０秒、時短フラグがＯＮであれば、１．５秒に設定することが考えられる。
【００６０】
次に、ＣＰＵ１１２は、普通図柄の変動時間が所定時間経過したか否かの判別を行い（Ｓ３８９）、所定の変動時間を経過したと判別した場合は変動を停止し（Ｓ３９０）、普通図柄の変動時間が所定時間経過していないと判別した場合は、普通図柄処理を終了する。
次に、普通図柄が当たり図柄であるか否かの判別を行い（Ｓ３９１）、普通図柄が当たり図柄である場合は、補助遊技フラグをＯＮにして（Ｓ３９２）、普通図柄処理を終了する。なお、ステップＳ３９１において、停止図柄が当たり図柄でない場合は、補助遊技フラグをＯＮにすることなく、普通図柄処理を終了する。
なお、ステップＳ３８２において、普通図柄が変動中であると判別した場合は、ステップＳ３８９に進み、普通図柄の変動時間が所定の変動時間を経過したか否かの判別を行う。
【００６１】
［大入賞口処理］
図１５は、遊技制御基板のＣＰＵが実行する大入賞口処理の一例を示したフローチャートである。
ＣＰＵ１１２は、大当たり遊技フラグがＯＮであるか否かの判別を行い（Ｓ４１１）、大当たり遊技フラグがＯＮであると判別した場合は、オープニング中であるか否かの判別を行う（Ｓ４１２）。大当たりのオープニング中であると判別した場合は、次にオープニング時間を経過したか否かの判別を行う（Ｓ４１３）。オープニング時間を経過したと判別した場合は、ラウンド回数（Ｒ数）／作動パターンの設定を行う（Ｓ４１４）。
【００６２】
図１６は、ラウンド回数／作動パターンの設定例を示した図であり、大当たりが長当たりであった場合は、ラウンド数（Ｒ数）を１５Ｒ、１Ｒ中の作動パターンが２９．５秒開放×１回に設定する。また大当たりが短当たりであった場合は、ラウンド数（Ｒ数）を１５Ｒ、１Ｒ中の作動パターンが０．１秒開放×１回に設定する、更に、小当たりであった場合は、上記短当たりと同様、ラウンド数（Ｒ数）を１５Ｒ、１Ｒ中の作動パターンが０．１秒開放×１回に設定する。
【００６３】
次に、ＣＰＵ１１２は、大入賞口１６への１ラウンドあたりの入賞個数を示す個数カウンタＣ１に「０」をセットすると共に、ラウンド回数Ｒの値に「１」を加算する（Ｓ４１５、Ｓ４１６）。この後、大入賞口１６の作動を開始する。つまり、大入賞口１６を閉状態から開状態にする（Ｓ４１７）。
次にＣＰＵ１１２は、大入賞口１６の作動時間が所定の作動時間を経過したか否かの判別を行い（Ｓ４１８）、作動時間が所定時間を経過していないと判別した場合は、次に個数カウンタＣの値が規定個数に達したか否かの判別を行う（Ｓ４１９）。
ここで、個数カウンタＣの値が規定個数Ｃであると判別した場合は、大入賞口１６の作動を終了する。つまり、大入賞口１６を開状態から閉状態にする（Ｓ４２０）。
一方、個数カウンタＣの値が規定個数に達していないと判別した場合は、大入賞口処理を終了する。
また、ステップＳ４１８において、大入賞口１６の作動時間が所定の作動時間を経過していた場合は、ステップＳ４１９の処理をスキップして、個数カウンタＣの個数をチェックすることなく大入賞口１６の作動を終了する（Ｓ４２０）。
【００６４】
次に、ＣＰＵ１１２は、大当たりラウンド回数が最大ラウンド回数Ｒであるか否かの判別を行う。つまり、大当たりラウンドが最終ラウンドであるか否かの判別を行う（Ｓ４２１）。
ここで、大当たりラウンドが最終ラウンドであると判別した場合は、エンディングを開始すると共に、エンディングコマンドをセットする（Ｓ４２２、Ｓ４２３）。
次いで、ＣＰＵ１１２は、ラウンド回数Ｒの値を「０」にセットする（Ｓ４２４）。この後、エンディング時間が経過したか否かの判別を行い（Ｓ４２５）、エンディング時間を経過したと判別した場合は、後述する遊技状態設定処理を実行し（Ｓ４２６）、大当たりフラグをＯＦＦにして（Ｓ４２７）、大入賞口処理を終了する。
【００６５】
また、ステップＳ４１２において、大当たりのオープニング中でないと判別した場合は、エンディング中であるか否かの判別を行い（Ｓ４２８）、エンディング中であると判別した場合は、ステップＳ４２５に進み、エンディング中でないと判別した場合は、大入賞口が作動中であるか否かの判別を行う（Ｓ４２９）。
ここで、大入賞口１６が作動中であると判別した場合は、ステップＳ４１８に移行し、大入賞口１６が作動中でないと判別した場合はステップＳ４１５に移行する。
また、ステップＳ４１３において、オープニング時間を経過していないと判別した場合、ステップＳ４１９において、個数カウンタＣ１の値が規定個数に達していないと判別した場合、ステップＳ４２１において、大当たりラウンドが最終ラウンドでないと判別した場合、或いはステップＳ４２５において、エンディング時間を経過していないと判別した場合は、大入賞口処理を終了する。
【００６６】
［遊技状態設定処理］
図１７は、遊技制御基板のＣＰＵが実行する遊技状態設定処理の一例を示したフローチャートである。
ＣＰＵ１１２は、先ず、小当たりであるか否かの判別を行い（Ｓ４３１）、小当たりであると判別した場合は遊技状態設定処理を終了する。
一方、小当たりでないと判別した場合は、次に通常長当たり（低確率時短付き長当たり）であるか否かの判別を行い（Ｓ４３２）、通常長当たりであると判別した場合は、時短フラグをＯＮにすると共に、時短ゲームの残ゲーム回数Ｊに例えば「１００」をセットして（Ｓ４３３、Ｓ４３４）、遊技状態設定処理を終了する。
一方、ステップＳ４３２において、通常長当たりでないと判別した場合は、高確率遊技を付与する大当たりであるので、高確フラグをＯＮにすると共に、高確ゲームの残ゲーム回数Ｘに例えば「１００００」をセットする（Ｓ４３５、Ｓ４３６）。
次に、当たりが時短付き当たりであるか否かの判別を行い（Ｓ４３７）、時短付き当たりであると判別した場合は、時短フラグをＯＮにすると共に、時短ゲームの残ゲーム回数Ｊに例えば「１００」をセットして（Ｓ４３８、Ｓ４３９）、遊技状態設定処理を終了する。一方、ステップＳ４３７において、時短付き当たりでないと判別した場合、時短フラグをＯＦＦにすると共に、時短ゲームの残ゲーム回数Ｊをリセットして（Ｓ４４０、Ｓ４４１）、遊技状態設定処理を終了する。
【００６７】
［電チュー処理］
図１８は、遊技制御基板のＣＰＵが実行する電チュー処理の一例を示したフローチャートである。
ＣＰＵ１１２は、補助遊技フラグがＯＮであるか否かの判別を行い（Ｓ５１１）、補助遊技フラグがＯＮであると判別した場合は、次に電チュー１４が作動中であるか否かの判定を行う（Ｓ５１２）。ここで、電チュー１４が作動中でなければ、遊技状態に応じて、電チュー１４の作動パターンを設定し（Ｓ５１３）、電チュー１４の作動を開始する（Ｓ５１４）。
次に、ＣＰＵ１１２は、電チュー１４の作動時間が所定の作動時間を経過したか否かの判別を行い（Ｓ５１５）、電チュー１４の作動時間が経過したと判別した場合は、補助遊技フラグをＯＦＦにして（Ｓ５１６）、電チュー処理を終了する。
ここで、設定する電チュー１４の作動時間は、例えば時短フラグがＯＦＦであれば、０．１５秒開放×１回、時短フラグがＯＮであれば、１．８０秒開放×３回に設定することが考えられる。なお、ステップＳ５１２において、電チュー１４が作動中であると判別した場合は、ステップＳ５１５に移行する。また、ステップＳ５１１において、補助遊技フラグがＯＮでないと判別した場合、或いはステップＳ５１５において、電チュー１４の作動時間が経過していないと判別した場合、電チュー処理を終了する。
【００６８】
次に、演出制御基板１２１が実行する処理について説明する。
［タイマ割込処理］
図１９は、演出制御基板のＣＰＵが実行するタイマ割込み処理の一例を示したフローチャートである。なお、図１９に示すタイマ割込み処理は、演出制御基板１２１のＣＰＵ１２２がＲＯＭ１２３に格納されているプログラムを実行することにより実現できる。
この場合、演出制御基板１２１のＣＰＵ１２２は、タイマ割込処理として、コマンド受信処理（Ｓ６１０）、演出ボタン処理（Ｓ６２０）、コマンド送信処理（Ｓ６３０）等を実行する。
【００６９】
次に、演出制御基板１２１のＣＰＵ１２２がタイマ割込処理として実行する主要な処理の一例について説明する。なお、以下に説明する処理も演出制御基板１２１のＣＰＵ１２２がＲＯＭ１２３に格納されているプログラムを実行することにより実現できる。
【００７０】
［コマンド受信処理］
図２０は、コマンド受信処理の一例を示したフローチャートである。
この場合、ＣＰＵ１２２は、保留数増加コマンドを受信したか否かの判別を行い（Ｓ７０１）、保留数増加コマンドを受信したと判別した場合は、保留数加算を行う（Ｓ７０２）。そして保留数加算後、保留数コマンドをセットする（Ｓ７０３）。
次に、ＣＰＵ１２２は、変動開始コマンドを受信したか否かの判別を行い（Ｓ７０４）、変動開始コマンドを受信したと判別した場合は、演出選択処理を実行する（Ｓ７０５）。
そして、演出選択処理終了後、次に変動停止コマンドを受信したか否かの判別を行う（Ｓ７０６）。なお、ステップＳ７０４において、変動開始コマンドを受信していないと判別した場合は、演出選択処理を実行することなくステップＳ７０６に進む。
【００７１】
次に、ＣＰＵ１２２は、ステップＳ７０６において、変動停止コマンドを受信したと判別した場合は、変動停止コマンドの解析を行い（Ｓ７０７）、その解析結果に基づいて、図示しないがモードフラグの変更等の各種処理を行った後、変動演出終了コマンドをセットする（Ｓ７０８）。
次に、ＣＰＵ１２２は、ステップＳ７０９において、オープニングコマンド受信処理を実行する。オープニングコマンド受信処理ではオープニングコマンドを受信したときに当たり演出選択処理を実行する。
次に、ＣＰＵ１２２は、ステップＳ７１０において、エンディングコマンド受信処理を実行する。エンディングコマンド受信処理では、エンディングコマンドを受信したときにエンディング演出選択処理を実行する。
次に、ＣＰＵ１２２は、ステップＳ７１１において、客待ちコマンド受信処理を実行する。客待ちコマンド受信処理では、客待ちコマンドを受信したときに客待ち処理を実行する。客待ちコマンド受信処理後は、コマンド受信処理を終了する。
【００７２】
［演出選択処理］
図２１は、演出選択処理の一例を示したフローチャートである。
この場合、ＣＰＵ１２２は、先ず、変動開始コマンドの解析と演出抽選を行う（Ｓ７２１、Ｓ７２２）。
次いで、ＣＰＵ１２２は、変動開始コマンドの解析結果と演出抽選により決定された遊技演出が遊技者参加型の演出選択画面を利用した遊技演出であるか否かの判別を行い（Ｓ７２３）、遊技者参加型の演出選択画面を利用した遊技演出であると判別した場合は、演出選択画面表示処理を実行する（Ｓ７２４）。この後、後述する演出選択画面表示処理において選択した変動演出パターンに対応した変動演出開始コマンドをセットする（Ｓ７２６）。変動演出開始コマンドセット後は、ステップＳ７２７において保留数減算を行って演出選択処理を終了する。
一方、ステップＳ７２３において、遊技者参加型の演出選択画面を利用した遊技演出でないと判別した場合は、通常使用する変動演出パターンテーブルから上記変動開始コマンドの解析結果と演出抽選とにより決定された遊技演出に対応した変動演出パターンを選択し（Ｓ７２５）、ステップＳ７２６において選択した変動演出パターンに対応した変動演出開始コマンドをセットする。変動演出開始コマンドセット後は、ステップＳ７２７において保留数減算を行って演出選択処理を終了する。
【００７３】
［演出選択画面表示処理］
図２２は、演出選択画面表示処理の一例を示したフローチャートである。
この場合、ＣＰＵ１２２は、先ず、画像表示器１１に第１の選択画面を表示するために第１の選択画面表示コマンドをセットする（Ｓ７３１）。
次に、ＣＰＵ１２２は、所定のタイミングでチャンスボタン１９を所定期間有効にする（Ｓ７３２）。次いで、チャンスボタンコマンドがセットされたか否かの判別を行い（Ｓ７３３）、チャンスボタンコマンドがセットされたと判別した場合は、次に画像表示器１１に第２の選択画面を表示するために第２の選択画面表示コマンドをセットする（Ｓ７３４）。
次に、ＣＰＵ１２２は、再度、所定のタイミングでチャンスボタン１９を所定期間有効にする（Ｓ７３５）。次いで、チャンスボタンコマンドがセットされたか否かの判別を行い（Ｓ７３６）、チャンスボタンコマンドがセットされたと判別した場合は、ステップＳ７３７において、第１の変動演出パターンテーブルをセットする。そして続くステップＳ７３９において、第１の変動演出パターンテーブルから、先のステップＳ７２１において行った変動開始コマンドの解析結果に基づいて、変動演出パターンを選択して、演出選択画面表示処理を終了する。
一方、ステップＳ７３３、Ｓ７３６において、チャンスボタンコマンドがセットされなかったと判別した場合は、ステップＳ７３８において、第２の変動演出パターンテーブルをセットし、ステップＳ７３９において、第２の変動演出パターンテーブルから変動演出パターンを選択して、演出選択画面表示処理を終了する。このとき、第２の変動演出パターンテーブルは、大当たり期待度の低い変動演出パターンのみにより構成すると、遊技者がチャンスボタン１９を操作しなかった場合は、変動開始コマンドの解析結果に関わらず、常に大当たり期待度の低い変動演出パターンが選択されることになるので、遊技者を参加型遊技演出へ積極的に参加させることが可能になる。
【００７４】
［演出ボタン処理］
図２３は、演出ボタン処理の一例を示したフローチャートである。
この場合、ＣＰＵ１２２は、チャンスボタン１９が有効な有効期間中であるか否かの判別を行い（Ｓ９０１）、有効期間中であると判別した場合は、次にチャンスボタン１９がオンであるか否かの判別を行い（Ｓ９０２）、チャンスボタン１９がオンであると判別した場合は、チャンスボタンコマンドをセットする（Ｓ９０３）。
一方、ステップＳ９０１において、有効期間中でないと判別した場合は、チャンスボタンコマンドをセットすることなく演出ボタン処理を終了する。
【符号の説明】
【００７５】
１１…画像表示器、１３…第１始動口、１４…電チュー、１９…チャンスボタン、３１…第１の選択画面、３２ａ〜３２ｅ…演出小画面群、４１…第２の選択画面、４２ａ〜４２ｅ…演出小画面、１００…パチンコ遊技機、１１１…遊技制御基板、１１２  １２２…ＣＰＵ、１１３  １２３…ＲＯＭ、１１４  １２４…ＲＡＭ、１２１…演出制御基板
【図１】
0005525070.tif 000002
【図２】
0005525070.tif 000003
【図３】
0005525070.tif 000004
【図４】
0005525070.tif 000005
【図５】
0005525070.tif 000006
【図６】
0005525070.tif 000007
【図７】
0005525070.tif 000008
【図８】
0005525070.tif 000009
【図９】
0005525070.tif 000010
【図１０】
0005525070.tif 000011
【図１１】
0005525070.tif 000012
【図１２】
0005525070.tif 000013
【図１３】
0005525070.tif 000014
【図１４】
0005525070.tif 000015
【図１５】
0005525070.tif 000016
【図１６】
0005525070.tif 000017
【図１７】
0005525070.tif 000018
【図１８】
0005525070.tif 000019
【図１９】
0005525070.tif 000020
【図２０】
0005525070.tif 000021
【図２１】
0005525070.tif 000022
【図２２】
0005525070.tif 000023
【図２３】
0005525070.tif 000024